(57)【要約】      （修正有）【課題】ポータブルモジュラーハウジングシステムを提供する。【解決手段】電子およびパーソナルアクセサリの格納および格納された場合の使用のためのポータブルモジュラーハウジングシステムであって、システムは、２つのブラケット１８を有する接続サポート機構を介して互いに接続された２つの独立したキャリア２，３を備え、２つのブラケット１８のそれぞれが、第１の回転軸の周りの一方のキャリア２の回転を可能にするヒンジ接続部２５を有する一方のキャリア２に接続された上端部２４と、第２の回転軸の周りの他方のキャリア３の回転を可能にするヒンジ接続部２０を介して他方のキャリア３に接続された下端部１９と、を有し、一方のキャリア２又は他方のキャリア３は、電子およびパーソナルアクセサリを収容するように構成された場所を有する外部曲面および内部空間を有する。【選択図】図７
0003212289.tif 000002
【実用新案登録請求の範囲】
【請求項１】
２つのブラケット（１８）で構成された接続サポート機構（図７ａ）を介して一つのキャリア−ハウジングシステム（図１）内に一緒に接続され、その２つの上端部は、一つのキャリア（２）に、縦又は横に、キャリア（２）の回転運動の制御された安定性のための平ら又は摩擦のヒンジ（２５）（の各端部について一つ）を介して接続され、一方、ブラケット（１８）の下端部は、他方のキャリア（３）に、縦又は横に、もう一つのキャリア（３）の回転運動の制御された安定のための平ら又は摩擦のヒンジ（２０）を介して接続された、２つのメイン相互独立キャリア（２，３）（図７）からなる接続サポート機構を介した電子アクセサリ及びパーソナルアクセサリの取付け及びその場並びに並行利用のためのポータブルモジュラーハウジングシステム。両方の接続において、各ヒンジ（２０，２５）の一方の部分（２０ａ、２５ａ）は、それぞれ対応するキャリア（３，２）に固定して取り付けられ、一方、各ヒンジ（２０、２５）の他方の端部の軸（２３ａ、２８ａ）は、それぞれ各キャリア（３，２）と関連するブラケットのそれぞれの端部（１９，２４）に固定して取り付けられている。接続の結果、摩擦の又は平らのヒンジに依存する特定の位置でのそれの制御された、または、それの安定しない、各ヒンジ（２０、２５）の虚軸又は実軸（２３、２８）のまわりの３６０°までの各キャリア（３、２）の独立した回転運動が達成され、ブラケット（１９，２４）のそれぞれの端部を接続し、２つのキャリア（図１０、図１１）の多数の組み合わせのオプションを提供する。これによって、それらを引き出す必要がなく、ポータブルレベルにおいてさえ、ハウジングシステムがその場で運ぶ物体の有用性を可能にする。特に、ブラケット（１８）が各キャリア（３、２）の外部の壁によってこれ（キャリア）に接続される場合、回転しながら、ブラケット（１８）の存在によってブロックされず、あるいは、それらがキャリアの他の部分に（長さ又は高さについて）接続され、回転の間にキャリアのノッチがブラケットに接する場合にそれらがそれを縦に通るので、キャリアがブラケットによってブロックされないでそれを３６０°まで回転可能な適切なノッチを有する場合、３６０°までの回転が達成され、そうでなく、適切なノッチが存在しない場合には、回転運動は、キャリア及びそれとブラケットの端部の接続点に依存して３６０°未満である。
【請求項２】
１つのブラケット（１８）で構成された接続サポート機構を介してキャリア−ハウジングシステム（図６）に一緒に接続され、その両方の端部は、２つの独立のキャリア（３，２）（各キャリアについて一つの端部）に、正確にそれぞれの方法で接続され、（請求項１に記載のように）２つのブラケット（１８）が接続され（図７）、異なる点としてブラケット（１８）の端部と２つのキャリア（３，２）とのそれぞれの接続点が２つのキャリアの長さの半分にあり（キャリアの回転軸（２３ａ、２８ａ）に垂直）、一方、幅に関する限り、接続は、その縁部（３５）で一つのキャリア（２）であり、一方、キャリア（３）では、幅に関係するどの位置であってもよく、特に、中央において、最もよい支持とヒンジ（２０）の回転軸について実質的に３６０°までのキャリア（３）の回転を達成できる、２つのメイン相互独立キャリア（２，３）を含む接続サポート機構（図６）を介した電子アクセサリ及びパーソナルアクセサリの搭載及びその場並びに並行利用のためのポータブルモジュラーハウジングシステム。
【請求項３】
請求項１（図７）に記載の接続サポート機構を介した電子アクセサリ及びパーソナルアクセサリの搭載及びその場並びに並行利用のためのポータブルモジュラーハウジングシステムであって、ブラケット（１８）の上端部（２４）とキャリア（２）との接続は、ヒンジなし、つまり摩擦なしであって、しかしキャリア（２）又は一つのヒンジ（２５ｃ）のみの自由な回転運動がある場合に、回転軸（２８）を介してのみ達成され、その一つの回転部分はキャリア（２）と固定してリンクされ、一方、他方の回転部分の軸（２８ａ）は、長いヒンジ（２５ｃ）の両側から突出してブラケット（１８）の上端部（２４）と接触して接続し、それによって、キャリア（２）のヒンジ（２５ｃ）の回転軸（２８ａ）のまわりの３６０°までの回転運動を達成できる。同様のことがヒンジなしで回転軸（２３）のみによる、又は、一つのヒンジ（２０ｃ）のみによる、ブラケット（１８）の下端部（１９）をキャリア（３）と接続によってそれぞれ生じるかもしれない。ブラケット（１８）の端部をキャリア（２，３）に接続するための請求項に記載の方法のいずれの組み合わせも各キャリア（２，３）の回転について対応する効果とともに可能である。
【請求項４】
請求項１（図７）に記載の接続サポート機構を介した電子アクセサリ及びパーソナルアクセサリの搭載及びその場並びに並行利用のためのポータブルモジュラーハウジングシステムであって、ブラケット（１８）の上端部及び下端部（２４、１９）と対応するキャリア（２，３）との接続は、また、（各キャリア（２，３）について）請求項１に記載の方法に関連してヒンジ（２５、２０）が共通の回転軸（２８ａ、２３ａ）と接続されるための箇所で２以上のヒンジ（２５、２０）を介して実現されることを特徴とする、ポータブルモジュラーハウジングシステム。
【請求項５】
請求項１（図７）に記載の接続サポート機構を介した電子アクセサリ及びパーソナルアクセサリの搭載及びその場並びに並行利用のためのポータブルモジュラーハウジングシステムであって、ブラケット（１８）をキャリア（３．２）に接続するヒンジ（２０，２５）は、見えないように（図７）キャリア（３．２）の内側に位置し、しかし、それらが外側にあってもよく、したがって見えることを特徴とする、ポータブルモジュラーハウジングシステム。
【請求項６】
請求項１（図６，図７）に記載の接続サポート機構を介した電子アクセサリ及びパーソナルアクセサリの搭載及びその場並びに並行利用のためのポータブルモジュラーハウジングシステムであって、接続サポート機構の一以上のブラケット（１８）は、それらの長さを伸ばす−縮めることができるように延在していることを特徴とする。この場合に、各ブラケットは、延在し、逆に摩擦によって抵抗が存在し、それによって各キャリア（２，３）の重さを支持するように一方が他方の中に引く２つの個々のセクションからなる。
【請求項７】
請求項１に記載の接続サポート機構を介した電子アクセサリ及びパーソナルアクセサリの搭載及びその場並びに並行利用のためのポータブルモジュラーハウジングシステムであって、接続サポート機構（図６、図７ａ）は、特に、一つのキャリアがモニタであり、他方が電子システム（ハードディスク等）及びキーボードのベースであり、２つのキャリアの位置の多数の組み合わせを選択できるポータブルコンピュータ（ラップトップ）に適用され、あるいは、ハードドライブが小さく、一つのキャリアの上にキーボード等と共に搭載されたデスクトップコンピュータに適用され、一方、他方のキャリアはモニタであり、デスクトップコンピュータを、多数の位置でモニタを支持する性能を有するポータブルの一つにさえ改造できる。また、それは、接続サポート機構及び個々に一つのキャリアがスマートモバイルフォン、ファブレット（ｐｈａｂｌｅｔ）、電子タブレット、又は、他のキャリアに調整できるキーボード等の他のアクセサリとの組み合わせとして対応する方法に適応できる。
【請求項８】
請求項１に記載の接続サポート機構を介した電子アクセサリ及びパーソナルアクセサリの搭載及びその場並びに並行利用のためのポータブルモジュラーハウジングシステムであって、独立のキャリア（図６、図７）が接続サポート機構（図６、図７ａ）によってキャリアハウジング（図１）に固定され、ハウジングシステムが閉じ、ハウジングシステムが閉じ、キャリアのコンテンツが見えない及び／又は露出する方法で一つのキャリア（２）の一方の側が他方のキャリア（３）の一方の側と接触する。回転軸（２８ａ、２３ａ）の回りのキャリア（２，３）の所望の回転運動の範囲での結合における条件によって、ブラケット（１８）の端部又は選択した位置がヒンジ（２５，２０）を介して各キャリア（２，３）と接続された、各キャリア（２，３）の位置に関連するブラケット（１８）の長さ及び形状を決定する。各キャリア（２，３）の残る部分の外部デザイン（形状）をコンテンツが見えず、又は露出しないようにハウジングシステムが閉じるように両側の他に考慮する限りにおいて、曲面、平坦、又は、各キャリアがデザインされた目的にかなうものであれば制限はない。
【請求項９】
請求項１に記載の接続サポート機構を介した電子アクセサリ及びパーソナルアクセサリの搭載及びその場並びに並行利用のためのポータブルモジュラーハウジングシステムであって、接続サポート機構（図６、図７ａ）と接続され、ハウジングシステムを構成する２つのキャリア（２、３）が、２以上であって、ハウジングシステムから多くのハウジングシステムへ延在する第２及び第３の接続サポート機構等を用いる関連方法でそれぞれ一緒に接続されていることを特徴とする、ポータブルモジュラーハウジングシステム。
【請求項１０】
請求項１に記載の接続サポート機構を介した電子アクセサリ及びパーソナルアクセサリの搭載及びその場並びに並行利用のためのポータブルモジュラーハウジングシステムであって、２つのキャリア（２，３）（図２、３，４，５）は、内部に及び外部に−電子タブレット、スマートフォン、ヘッドセット、キーボード、スピーカ、バッテリ、太陽充電器、ウォレット、ノートブック等の特定のアイテムのためだけでなく、特定のスペアパーツ（２６，２７）（図１２）のため、その場利用のための基礎−特定の立場を有するようにデザインされ、一方、ハウジングシステムのキャリアの外部及び内部表面の部分は、色及び物の多様性を伴う美的変化を提供する関係部分によって分離され、置換される。そこで、ユーザは、それら自身の機能的必要性及び美的な選択にしたがってハウジングシステムを機能的に及び美的に調整するだけでなく、それらの外に引っ張ることなく（請求項２、３、４のユーザによるユーザのための所望の位置における２つのキャリア（２，３）を支持する接続サポート機構（図６、図７ａ）の補助と共に）、及び、物の位置が外部アクセスを有する場合（図４）に、ハウジングシステムを開放することなく、並行して及びその位置に含まれる物を用いる。物及びスペアパーツは、スライドガイド（レール）（２８，２９）（図１２）によってそれらの位置に配置され、一方、物又はスペアパーツがそれらに入っており、それらがしっかりと定位置に保持されている場合、いくつかのケースが圧縮されたアーチ状のプレートの側壁の部分の上に特色をなしている。また、キャリアの側壁に埋め込まれた外側の位置（その場利用のためのベース）（図４）は、ユーザが含まれている物の利用を望む場合、それらがスライド位置の前方を内側に押して、これはバネ又はプレート機構によって自動的に開放され、ハウジングシステムの主なキャリアの真ん中を開放する必要がなく、位置ベースの状態で使用のために準備され、含まれている物を示す。そこで、ハウジングシステムは、最小のハウジングシステムが有する機能を拡張する上述の同じ方法（スライド方法、プラグによる方法、アーチ状プレートによる方法）でより大きなハウジングシステムに結合される。
【請求項１１】
請求項１に記載の接続サポート機構を介した電子アクセサリ及びパーソナルアクセサリの搭載及びその場並びに並行利用のためのポータブルモジュラーハウジングシステムであって、キャリア（２）の突起の虚軸のまわりの回転が可能なように、２つのキャリア（２、３）（図７）は、相対的に柔軟性を有し、（同一又は他の材料からなる）共有する単一の突起によって結合されていてもよく、それによってこのケースでは、機構（図７ａ）は、キャリア（２，３）を接続する手段として機能することをやめ、その結果として、ブラケット（１８）の上端部（２４）は、一つの本体として実軸（２８）と結合又はリンクしており、キャリア（２）と共通の点がなく独立であるが、ブラケット（１８）の下端部（１９）は、−それの縦に横に−、キャリア（３）の回転運動の制御された安定支持のためのプレーン又は摩擦のヒンジ（２０）（の各端部について一つ）を介して−キャリア（３）に接続されているので、キャリア（３）の支持及び回転の手段として機能することを継続している。
【考案の詳細な説明】
【技術分野】
【０００１】
本考案は、形式上固定されており、内側及び外側の両方について特にデザインされ、形成された部分及びケースを特徴とし、電子タブレット、モバイルフォン、札入れ（ｗａｌｌｅｔ）、ノートブック、等、及び、ハウジングシステムのスペアパーツ等の特定の電子アクセサリ及びパーソナルアクセサリの設置及び接続用の２つ（又はそれ以上）の独立したキャリアからなるハウジングシステムに関する。
【背景技術】
【０００２】
２つの独立したキャリアは、各キャリアの制御された３６０°の回転運動を可能にする、特にデザインされたコネクタ−サポートメカニズムを通じて結合され、キャリア−ハウジングシステムを形成し、２つのキャリアの合わせて固定された位置の多くの組み合わせを達成し、それは、キャリアの必要な位置及び傾斜角度を選択することによって含められるキャリア−アクセサリを意味する。並行して、一つのキャリアが同じ次元の他方のキャリアと接続されるだけでなく、より小さい一つが、その機能及びスペースに関する限りハウジングシステムの可能性を広げるより大きい一つに搭載されるか、又は、接続されるように、キャリアはデザインされている。
【０００３】
市場では、電子アクセサリ及びパーソナルアクセサリの搭載のための多重利用のケース−バッグを利用できるが、それがケース−バッグ内にある場合、ユーザへの提供は、アクセサリの収納及び移動に限定され、その場でのそれらの並行利用のためには行われていない。さらに、それらのボリュームは固定され、それらは、スペース及びそれらの要求に合わせる機能性の選択における順応性をユーザに提供するために他の同様のそれと接続する能力を有しない。さらに、それらは、特定のアクセサリについての区画を欠いており、その結果、コンテンツの構成がなく容易に利用できない。並行して、現在のケース−バッグは、それらがユーザの個人的な選択に基づいて機能的に及び美的に発展するようには介入の可能性を認めていない。
【考案の概要】
【０００４】
本考案の利点は、ハウジングの２つのキャリアの広く開放でき、３６０°まで回転できる性能のため、特別の物、アクセサリだけでなく、直接の及び便利な利用しやすさについて特別にデザインされたポジションがあるので、ハウジングシステムの完璧な組織を提供できることである。さらに、収納手段及び搬送手段を越えて、ユーザが、それらのケースからそれらを引き出すことなく、特に所望の接続サポート機構を介したそれらの間の２つのキャリアの所望のポジション−チルトを選択することなく、それらの電子タブレット、モバイルフォン、ウォレット、ノートブック等を（仕事用又はパーソナルユースで）同時に及びその場で使用でき、それによって、どこでも使用が楽である。さらに、一つのケースが同じサイズの一つ、又は、スピーカ等のより大きなスペース及び機能を有するより大きな一つと接続されているので、ハウジングシステムによって拡張機能を提供することができる。最後に、内部及び外部について特別にデザインされた部分について、ユーザは、色及び材料の多様性、さらにそれ自身のテーマについてのプリントについての選択の特別の部分の配置による美的な介入、及び、電子デバイス用の外部バッテリ、バッテリ充電用のソーラーパネル、キーボード等のアクセサリの選択の搭載による機能的な介入の両方に介入できる。
【０００５】
本考案に係る接続サポート機構を介した電子及びパーソナルアクセサリの搭載及びその場利用及び並行利用のためのポータブル、モジュラーハウジングシステムは、２つのキャリアによって接続サポート機構の補助で広く開放し、それぞれ３６０°まで回転するので、完全な構成及び直接の利用を保証する電子タブレット、スマートフォン、ウォレット、キーボード、ペン、キー及び他の小さなアイテム等の特定箇所でのアクセサリ−特定物に合わせるようにデザインされた２つのキャリアからなることを特徴とする。また、それらは主に、それらのケースの内側で運ばれる物について、それらの外にそれらを引き出すことなく、その物の並行利用及びその場利用のためにデザインされている。これは達成されており、一方では、キャリアが直立、つまり、それらのフレームが堅く、相対的に柔軟な材料からなり、それらの形状は、特別であり、他方では、２つの独立のキャリアを一緒に接続する接続サポート機構を介して、２つのキャリアのそれぞれ一つについて一対の上端部／下端部についてヒンジ（簡単なもの又は摩擦のもの）を介して接続されている端部を有する２つのブラケットからなる。つまり、一方のブラケットの上端部と他方のブラケットの対応する上端部とが摩擦ヒンジ又はプレーンヒンジで一方のキャリアの横外壁（又は、一方の内側の拡張によっても）と接続されている。このように、接続によって、２つのキャリアのそれぞれを独立に、ブラケットの上端部及び下端部それぞれを各キャリアによって接続する虚軸（又は実軸）のまわりに３６０°回転させることができ、そこで、キャリア管の複数の位置の組み合わせは、摩擦ヒンジを介して安定してとどまり、達成される。最後に、キャリアのいくつかの内側部分及び外側部分は、分離でき、様々な色及び材料の対応するセクションは、ユーザがパーソナルな美的レベルで介入できるポジション（スライド又はプラグ）に配置できる。同じことが、ノートブック、スピーカ、バッテリ、ソーラー充電器等の対応する機能的パーツで実現できる。
【考案を実施するための形態】
【０００６】
考案について、実施例の助けを借りて、添付の図面に関して以下に示す。
【０００７】
図１は、外側の一方のキャリアがフラットであって、他方のキャリアが外側に曲がっている特定のデザインを有する２つのメインのキャリアからなるハウジングシステムの外面図を示している。ハウジングの側壁がフラット（４）であり、２つのメインのキャリア（２，３）の外面が側壁（５）からハウジングの大きさに依存して数センチメートル突出する。ハウジングの材料は、通常の負荷によってそのままに直立を維持し、形が変化しないように、特定の（図１）又は他の適切なデザインを支持することができる、プラスチック、プラスチックコートされた革、金属、又はその他材料等の、相対的に柔軟性を有する堅いものである。
【０００８】
図２は、２つのキャリア（２，３）のはっきりと分かる内面を有するハウジングシステムの開放を明瞭に示している。内部で２つのキャリアは、完全な構成と迅速な利用を保証する電子タブレット（８）、スマートフォン（９）、ウォレット（１０）、スピーカ（１１）、キーボード（１２）、ペン、キー及び他の小さなアイテム（１３）、ノートブック（１４）、トラベルウォレット（１５）等についての位置合わせ等の、スライド（２８，２９、図１２）（又は閉じることによって）、特定の位置での特定の物、に適応するようにデザインされている。
【０００９】
ハウジングシステムを構成するキャリア（２，３）（図３）は、受け入れられるようにデザインされた物に依存する様々な次元及びデザインがある。このように、モバイルフォン、イヤフォン、及びキー等の小さいアイテムの収納、直接の独立の利用、及びその場利用のための中間セクションにおけるキャリア（３）上のふた付き外部トレイ又は他の外部部分と同様に、モバイルフォン（１６）、モバイルフォン（１７）と反対にサイドスライドポケットに配置可能なウォレットの、収納、（ハウジングシステムが閉じている場合でも）直接の独立の利用、及び、その場利用のために２つのサイドスライド開口（１６、１７）を提供する電子タブレット（８）についてのハウジングシステム（図３）がある。それによって、ハウジングシステムは、ユーザが、よく構成されたやり方にそれらを収納させる機能だけでなく、主にその場で及び同時にそれらを利用し、例えば、タブレット（８）をモバイルフォン（１６）（図５）と同時に、又は、直接にその場で、及び、各独立に（図４）それらをユーザに使用させるポータブルパーソナルステーションであるので、（よく悩まされる）ユーザが布のポケットの中に、通常（モバイルフォン、ウォレット、イヤフォン、キー等の）それらの上に有する基本的なアクセサリのいずれかを入れる必要がなく、移動において、トレイシステムは、それらが使用したいアクセサリ−物に依存する（側面（１６，１７）に２つ及び外部の一つ（１８））３つのトレイの各一つを個々に開口することによって、トレイシステムを閉じる。
【００１０】
さらに、ハウジングシステムは、寸法で最小（図３、図４、図５）のものがそれ（２８，２９、図１２）をスライド（又はプラグ）することで搭載−接続され、一方、小さいケースによってユーザ（図３、図４、図５）に大きいケース（図２）による追加のアクセサリの利用性を提供する性能を拡張するために、寸法を最大（図２）に開口（１９、図２）するようにデザインされている。
【００１１】
図６は、ハウジングシステムの２つの側面の２つのブラケットに代えて図７に示された接続サポート機構を示しており、一方のブラケット（１８）は、キャリア（２，３）の長さについて中間に位置し、その下端部（１９）は、任意のポジションで一方のキャリア（３）を有する一方の（又は複数の）（摩擦又はプレーン）ヒンジ（２０）を介して接続され、キャリアの横方向について、理想的には、キャリア（３）のバランスされた支持とヒンジ（２０）の回転軸（２３ａ）（又は、それらが一以上であって単一の回転軸（２３ａ）を介して接続されている場合、ヒンジの単一の回転軸）のまわりのそのおよそ３６０°の回転の両方を達成するために、それは中間である。ブラケット（１８）の上端部（２４）は、一（又はそれ以上）の（摩擦又はプレーン）ヒンジ（２５）を介してキャリア（２）の縁部（３５）、特に、キャリア（２）の縁部の長さの半分と接続され、一方で、ブラケット（１８）の端部（１９，２４）を介した２つの独立したキャリア（２，３）を合わせる接続、他方で、ヒンジ（２５）の回転軸（２８ａ）のまわりのフラットキャリア（２）のおよそ３６０°までの回転（又は、それらが一以上であって単一の回転軸（２８ａ）を介して接続されている場合、ヒンジの単一の回転軸）を達成するためである。このように、ブラケット（１８）の２つの端部（１９，２４）は、２つのヒンジ（又はそれ以上、キャリアの重量のため摩擦ヒンジが保持する必要がある場合）を介して２つのキャリア（３，２）とそれぞれ接続されており、キャリア（３，２）の３６０°までの回転も図７に示されているのと同様である。
【００１２】
図７は、２つのキャリア（２，３）を接続し、支持し、回転する可動のブラケット（１８）が見える接続サポート機構を有するハウジングシステムを示している。ブラケット（１８）の下端部（１９）は、以下のように湾曲したキャリア（３）と湾曲したキャリア（３）内に位置するヒンジ（２０）を介して接続されている（ヒンジは外部に位置してもよく、みえてもよいので、上記は必須ではない）。各ヒンジ（２０）の一方の回転部分（２０ａ）は、ヒンジ（２０）の軸（２３ａ）のまわりにキャリア（３）が回転自在に機能するように、湾曲したキャリア（３）の内側と接続されており、一方、各ヒンジの他方の回転部分の軸（２３ａ）は、各ブラケット（１８）の下端部（１９）に接続され、ヒンジ（２０）の軸（２３ａ）のまわりに２つのブラケット（２０）の互いに同時並行の回転運動を行う。この接続を通じて、湾曲したキャリア（３）の回転運動の可能性は、２つのヒンジの軸（２３ａ）を接続する虚軸又は実軸（２３）のまわりに３６０°まで設定される（これは、回転する時に出会うキャリアからの障害がないように、ブラケット（１８）がキャリア（３）の側壁からそれほど長く突出する場合に達成される。）。それぞれの方法では、一方では、２つのブラケット（１８）の端部（１９，２４）を介した２つの独立のキャリアの互いの接続を実現するため、他方では、各ヒンジ（２５）及び湾曲したキャリア（３）の回転軸（２８ａ）を介して２つのブラケット（１８）の２つの上端部（２４）を連結する虚軸又は実軸（２８）のまわりのフラットなキャリア（２）の３６０°までの回転運動を実現するため、（上述の通り、ブラケット（１８）の２つの下端部（１９）は、キャリア（３）に接続され）、ブラケット（１８）の２つの上端部は、２つの（摩擦又はプレーン）ヒンジ（２５）によってフラットキャリア（２）に接続されている。上述の接続及び回転の方法も、各外部ヒンジの回転軸（２３ａ，２８ａ）が軸（２３，２８）にそれぞれ接続し、一方、各ヒンジの他方の回転部分（２０ａ，２５ａ）がキャリア（２，３）にそれぞれ接続するように、２以上のヒンジで実軸（２３）及び（２８）上で（摩擦又はプレーン）ヒンジ（２０，２５）を接続することによって実現できる。しかし、上述の接続及び回転の方法は、各ヒンジ（２０ａ，２５ａ）の一方の回転部分がキャリア（２，３）にそれぞれ接続されるので、２以上のヒンジで同じ機能をまさに実行でき、ブラケット（１８）の各一対の端部について一つのヒンジ（つまり、全ハウジングシステムについて合計２つのヒンジ）を介して実現でき、実軸（２３，２８）の両端部によって延長されるか、又は、接続される各ヒンジの他方の回転部分（つまり、その回転軸（２３ａ、２８ａ））は、ブラケット（１８）の一対の端部のそれぞれに接続される。２つのキャリア（２、３）の回転運動の組み合わせによって、全ポジション及び市場で現在利用可能なラップトップ、タブレットおよびＰＣの支持機構によって提供されるポジション以上をカバーする、２つのキャリアのポジション（図１０、１１）の無制限の組み合わせを提供でき、さらに、システムがポータブルであるという利点を有する。図７では、キャリア（２，３）から分離さ��た接続サポート機構を見ることができる。
【００１３】
図８及び図９は、軸（２８ａ）のまわりのキャリア（２）の回転、及び、キャリア（３）の回転軸（２３ａ）のまわりの回転もそれぞれ示している。
【００１４】
図１２は、２つのキャリア（２，３）の外的（２６，２７）及び内的（図２）スペアパーツが特定のレールを介してキャリアにスライドし、それぞれの方法でハウジングシステムに外側又は内側に適用できる、ソーラ充填−バッテリ（２６，２７）、スピーカ、キーボード、ノートブック（図２）等、アクセサリの使用可能なスペアアクセサリだけでなく、ハウジングシステムを＜かざる＞様々な色及び様々な材料からなるスペアパーツ間で選択ができるので、ユーザが美的レベル又は機能的レベルで介入できる方法の一つを示す。
【図１】
0003212289.tif 000003
【図２】
0003212289.tif 000004
【図３】
0003212289.tif 000005
【図４】
0003212289.tif 000006
【図５】
0003212289.tif 000007
【図６】
0003212289.tif 000008
【図７】
0003212289.tif 000009
【図８】
0003212289.tif 000010
【図９】
0003212289.tif 000011
【図１０】
0003212289.tif 000012
【図１１】
0003212289.tif 000013
【図１２】
0003212289.tif 000014
【手続補正書】
【提出日】平成29年7月4日(2017.7.4)
【手続補正１】
【補正対象書類名】実用新案登録請求の範囲
【補正対象項目名】全文
【補正方法】変更
【補正の内容】
【実用新案登録請求の範囲】
【請求項１】
電子およびパーソナルアクセサリ（８，９，１０，１１，１２，１３，１４）の格納および格納された場合の使用のためのポータブルモジュラーハウジングシステムであって、前記システムは、２つのブラケット（１８）を有する接続サポート機構を介して互いに接続された２つの独立したキャリア（２，３）を備え、
前記２つのブラケット（１８）のそれぞれが、第１の回転軸の周りの一方のキャリア（２）の回転を可能にするヒンジ接続部（２５）を有する前記一方のキャリア（２）に接続された上端部（２４）と、第２の回転軸の周りの他方のキャリア（３）の回転を可能にするヒンジ接続部（２０）を介して前記他方のキャリア（３）に接続された下端部（１９）と、を有し、
前記一方のキャリア（２）又は前記他方のキャリア（３）は、前記電子およびパーソナルアクセサリ（８，９，１０，１１，１２，１３，１４）を収容するように構成された場所を有する外部曲面および内部空間を有する、ポータブルモジュラーハウジングシステム。
【請求項２】
前記一方のキャリア（２）及び前記他方のキャリア（３）の少なくとも一つは、前記電子およびパーソナルアクセサリ（８，９，１０，１１，１２，１３，１４）をスライド式または留め具により収容する手段を有する、請求項１に記載のポータブルモジュラーハウジングシステム。
【請求項３】
少なくとも前記一方のキャリア（２）又は前記他方のキャリア（３）は、前記それぞれの軸の回りに３６０度自由に回転できる、請求項１又は２に記載のポータブルモジュラーハウジングシステム。
【請求項４】
前記２つのブラケット（１８）の上端部（２４）は、前記一方のキャリア（２）の横外壁に接続され、前記ブラケットの下端部（１９）は、前記他方のキャリア（３）の横外壁に接続され、前記ブラケット（１８）は、前記一方のキャリア（２）又は前記他方のキャリア（３）の回転運動を妨げない、請求項１から３のいずれか一項に記載のポータブルモジュラーハウジングシステム。
【請求項５】
少なくとも前記一方のキャリア（２）又は前記他方のキャリア（３）は、ノッチを有し、前記ブラケット（１８）は、前記一方のキャリア（２）又は前記他方のキャリア（３）のそれぞれの３６０度の回転運動を妨げない、請求項１から３のいずれか一項に記載のポータブルモジュラーハウジングシステム。
【請求項６】
前記一方のキャリア（２）についての上端部（２４）および他方のキャリア（３）についての下端部（１９）の少なくとも一つのヒンジ接続部（２０、２５）は、２つのヒンジ（２０、２５）によって達成され、各ヒンジ（２０，２５）は、ブラケット（１８）に付属の一方の部分（２０ａ、２５ａ）と、前記一方のキャリア（２）又は前記他方のキャリア（３）に付属の他方の部分（２３ａ、２８ａ）とを有する、請求項１から４のいずれか一項に記載のポータブルモジュラーハウジングシステム。
【請求項７】
前記キャリア（３，２）についての前記ブラケット（１８）に接続しているヒンジ（２０，２５）は、前記キャリア（３，２）の内側に位置している、請求項６に記載のポータブルモジュラーハウジングシステム。
【請求項８】
前記ブラケット（１８）は拡張可能であって、その長さが可変である、請求項１から７のいずれか一項に記載のポータブルモジュラーハウジングシステム。
【請求項９】
前記各ブラケット（１８）は、２つの個別のセクションから構成され、一方のセクションは拡張されるように他方のセクション内に引き込まれており、反対に、摩擦によって抵抗が現れ、前記抵抗によって前記一方のキャリア（２）及び／又は前記他方のキャリア（３）の重さを支える、請求項１から８のいずれか一項に記載のポータブルモジュラーハウジングシステム。
【請求項１０】
前記システムは、２つ以上のキャリア及び少なくとも２つの接続サポート機構を含む、請求項１から９のいずれか一項に記載のポータブルモジュラーハウジングシステム。
【請求項１１】
前記一方のキャリア（２）についての上端部（２４）および他方のキャリア（３）についての下端部（１９）の少なくとも一つのヒンジ接続部（２０、２５）は、前記一方のキャリア（２）又は前記他方のキャリア（３）のそれぞれの回転運動の制御された安定化のための摩擦手段を有する、請求項１から１０のいずれか一項に記載のポータブルモジュラーハウジングシステム。
【請求項１２】
前記一方のキャリア（２）の側部が前記他方のキャリア（３）の側部と接触する場合に、前記システムが閉じ、前記キャリアの内容物が露出しないように、前記一方のキャリア（２）及び前記他方のキャリア（３）は、回転するように構成されている、請求項１から１１のいずれか一項に記載のポータブルモジュラーハウジングシステム。
【請求項１３】
電子およびパーソナルアクセサリ（８，９，１０，１１，１２，１３，１４）の格納および格納された場合の使用のためのポータブルモジュラーハウジングシステムであって、前記システムは、一つのブラケット（１８）を有する接続サポート機構を介して互いに接続された２つの独立したキャリア（２，３）を備え、
前記ブランケット（１８）は、第１の回転軸の周りの一方のキャリア（２）の回転を可能にするヒンジ接続部（２５）を有する前記一方のキャリア（２）に接続されている上端部（２４）と、第２の回転軸の周りの他方のキャリア（３）の回転を可能にするヒンジ接続部（２０）を介して前記他方のキャリア（３）に接続された下端部（１９）と、を有し、
長さが前記第１の回転軸及び前記第２の回転軸に垂直な方向に沿って規定され、前記一方のキャリア（２）についての前記上端部（２４）の前記ヒンジ接続部及び前記他方のキャリア（３）についての前記下端部（１９）の前記ヒンジ接続部は、前記一方のキャリア（２）と前記他方のキャリア（３）の長さの中間にあり、
前記一方のキャリア（２）又は前記他方のキャリア（３）は、前記電子およびパーソナルアクセサリ（８，９，１０，１１，１２，１３，１４）を収容するように構成された場所を有する外部曲面および内部空間を有する、ポータブルモジュラーハウジングシステム。
【請求項１４】
少なくとも前記一方のキャリア（２）又は前記他方のキャリア（３）は、前記それぞれの軸について３６０度自由に回転する、請求項１３に記載のポータブルモジュラーハウジングシステム。
【請求項１５】
少なくとも前記一方のキャリア（２）又は前記他方のキャリア（３）は、ノッチを有し、前記ブラケット（１８）は、前記一方のキャリア（２）又は前記他方のキャリア（３）のそれぞれの３６０度の回転運動を妨げない、請求項１３又は１４に記載のポータブルモジュラーハウジングシステム。